(57)【要約】【課題】  補聴器の装脱のいずれも容易に行うことができる補聴器装脱具を提供することにある。【解決手段】  可撓弾性を有する吸盤と、吸盤の背面に突設された連結杆と、連結杆が遊貫挿された押圧体と、押圧体の背面から突出した連結杆に連結され、指先で挟持可能なレバー体とを備え、レバー体を回動することにより、連結杆を押圧体方向に移動させ、吸盤の背面を押圧体方向に弾性変形させることにより、吸盤を介して補聴器の外耳道から露出する略平坦な平坦部に着脱自在に吸着することを特徴とする。【選択図】図１
0003120092.tif 000002
【実用新案登録請求の範囲】
【請求項１】
可撓弾性を有する吸盤と、
該吸盤の背面に突設された連結杆と、
該連結杆が遊貫挿された押圧体と、
該押圧体の背面から突出した該連結杆に連結され、指先で挟持可能なレバー体とを備え、
該レバー体を回動することにより、該連結杆を該押圧体方向に移動させ、該吸盤の背面を該押圧体方向に弾性変形させることにより、該吸盤を介して補聴器の外耳道から露出する略平坦な平坦部に着脱自在に吸着することを特徴とする補聴器装脱具。
【請求項２】
前記レバー体が板状であることを特徴とする請求項１記載の補聴器装脱具。
【考案の詳細な説明】
【技術分野】
【０００１】
本考案は、補聴器を外耳道に着脱するための補聴器装脱具に関する。
【背景技術】
【０００２】
従来から、耳の外耳道に装着する補聴器には、外耳道から補聴器を抜き取るための引き出し糸を備えている。この引き出し糸は、テグスのような細くて目立たないものが用いられている。補聴器を使用する人は、補聴器を耳に装着する場合には指で補聴器本体を摘んで外耳道に装着し、抜き取る場合には引き出し糸を指で摘んで引き出し糸を引くことにより補聴器を抜き取っている。
尚、この先行技術は、文献公知に係るものでないため、記載すべき先行技術文献情報はない。
【考案の開示】
【考案が解決しようとする課題】
【０００３】
しかしながら、従来の補聴器の引き出し糸は、細くて扱いにくく、切れやすく、装着の時には機能しないという問題点がある。
【０００４】
本考案は、このような事情に鑑みてなされたもので、補聴器の装脱のいずれも容易に行うことができる補聴器装脱具を提供することにある。
【課題を解決するための手段】
【０００５】
請求項１記載の補聴器装脱具は、可撓弾性を有する吸盤と、吸盤の背面に突設された連結杆と、連結杆が遊貫挿された押圧体と、押圧体の背面から突出した連結杆に連結され、指先で挟持可能なレバー体とを備え、レバー体を回動することにより、連結杆を押圧体方向に移動させ、吸盤の背面を押圧体方向に弾性変形させることにより、吸盤を介して補聴器の外耳道から露出する略平坦な平坦部に着脱自在に吸着することを特徴とする。
【０００６】
請求項２記載の補聴器装脱具は、レバー体が板状であることを特徴とする。
【考案の効果】
【０００７】
請求項１の考案によれば、レバー体を回動するのみで吸盤を介して補聴器の外耳道から露出する略平坦な平坦部に着脱自在に吸着することから、レバー体を摘んで補聴器の装脱のいずれも容易に行うことができる。
【０００８】
請求項２の考案によれば、レバー体が板状であることから、摘みやすく扱いが容易である。
【考案を実施するための最良の形態】
【０００９】
以下、本考案の形態について図面を参照しながら具体的に説明する。本考案の形態における補聴器装脱具は、補聴器を外耳道に着脱するためのものである。図１は、本考案に係る補聴器装脱具の一例を示す（ａ）が側面図、（ｂ）が正面図である。図２は、同補聴器装脱具の動作状態を示す（ａ）が側面図、（ｂ）が正面図である。図３は、同補聴器装脱具の断面を示す説明図である。図４は、同補聴器装脱具の動作状態の断面を示す説明図である。図５は、同補聴器装脱具の使用方法を示す説明図である。
【００１０】
図において、補聴器装脱具１は、可撓弾性を有する吸盤１０と、吸盤１０の背面に突設された連結杆１２と、連結杆１２が遊貫挿された押圧体１４と、押圧体１４の背面から突出した連結杆１２に連結され、指先で挟持可能なレバー体２０等を備えている。吸盤１０及び押圧体１４は略皿状で重ね合うように配置され、吸盤１０はゴム材で成形され、他の部分は合成樹脂で形成されている。尚、吸盤１０の直径は、補聴器５の外耳道３０から露出する略平坦な平坦部６に着脱可能な大きさである。
【００１１】
連結杆１２の吸盤１０とは反対の端部で押圧体１４から突出する部分には、押圧体１４の面と直交する略三日月状の回動板１６が設けられている。この回動板１６は２枚の板材からなり、連結杆１２の端部を挟み込んで設けられ、２枚の回動板１６の中央の間に掛け渡された回動軸１８が連結杆１２の端部を貫通している。２枚の回動板１６の角部には、長方形の板材であるレバー体２０が設けられている。このレバー体２０は、回動板１６が回動軸１８を中心に回転するのに合わせて扇動するように設けられている。
【００１２】
次に、本実施例の補聴器装脱具１の使い方を説明する。まず、補聴器５を外耳道３０に装着したい人は、図１に示す吸盤１０及び押圧体１４が直立してレバー体２０が、立ち上がった状態で、図３に示すように補聴器装脱具１の吸盤１０を補聴器５の外耳道３０から露出する平坦部６に押しつける。この状態では、回動板１６の凸曲面である湾曲面１６ａが押圧板１４の背面１４ａに当接している。
【００１３】
次に、図３の状態からレバー体２０を図４の矢印に示す方向に押し下げる。すると、回動板１６が回動軸１８を中心に回動する。レバー体２０を回動することにより、回動板１６の湾曲面１６ａが押圧体１４の背面１４ａに当接しつつ回動し、吸盤１０の背面から突出する連結杆１２を、押圧体１４方向に移動させる。連結杆１２が移動することで吸盤１０の背面が押圧体１４方向に弾性変形し、補聴器５の平坦面６と吸盤１０との間の間隙が拡がって真空度が高まる。このことにより、補聴器装脱具１の吸盤１０が補聴器５の平坦面６に強固に吸着する。
【００１４】
補聴器５に補聴器装脱具１が吸着した状態で、図５に示すようにレバー体２０を指先で摘んで、補聴器５を外耳道３０に装着する。次に、吸着とは反対にレバー体２０を押し上げると、連結杆１２が吸盤１０方向に移動し、補聴器５の平坦面６と吸盤１０との間の間隙が縮まって真空度が低くなる。そして、吸盤１０の吸着が弱くなり、補聴器装脱具１が補聴器５の平坦面６から剥がれることとなる。尚、補聴器５を外耳道３０から抜き取るときは、上述とは逆の手順で補聴器装脱具１を補聴器５の平坦面６に吸着して行う。
【００１５】
以上のように、本考案の補聴器装脱具１によれば、レバー体２０を回動するのみで吸盤１０を介して補聴器５の外耳道３０から露出する平坦部６に着脱自在に吸着することから、レバー体２０を摘んで補聴器５の装脱のいずれも容易に行うことができる。また、レバー体２０が板状であることから、摘みやすく扱いが容易である。
【産業上の利用可能性】
【００１６】
以上のように、本考案の補聴器装脱具は、外耳道から露出する部分に略平坦な平坦部を有する補聴器の装脱に適している。
【図面の簡単な説明】
【００１７】
【図１】本考案に係る補聴器装脱具の一例を示す（ａ）が側面図、（ｂ）が正面図である。
【図２】同補聴器装脱具の動作状態を示す（ａ）が側面図、（ｂ）が正面図である。
【図３】同補聴器装脱具の断面を示す説明図である。
【図４】同補聴器装脱具の動作状態の断面を示す説明図である。
【図５】同補聴器装脱具の使用方法を示す説明図である。
【符号の説明】
【００１８】
１・・・・補聴器装脱具
５・・・・補聴器
１０・・・吸盤
１２・・・連結杆
１４・・・押圧体
１６・・・回動板
１８・・・回動軸
２０・・・レバー体
３０・・・外耳道
【図１】
0003120092.tif 000003
【図２】
0003120092.tif 000004
【図３】
0003120092.tif 000005
【図４】
0003120092.tif 000006
【図５】
0003120092.tif 000007